(57)【要約】【課題】印刷用紙に対する画像の印刷位置を変更する場合に作業性のよい印刷装置の画像位置調整表示装置を提供する。【解決手段】画像位置調整表示装置１は、印刷用紙に印刷される画像位置を印刷用紙の上下方向と左右方向に調整可能であり、画像位置の上下方向と左右方向の画像標準位置を決める移動量の入力を促す操作案内情報が表示される表示手段２と、表示手段に表示された操作案内情報に基づきユーザーが設定操作することで、前記上下方向と左右方向への移動量を入力する入力手段３と、入力された上下方向と左右方向への移動量を記憶する記憶手段４を有し、記憶手段に記憶された上下方向と左右方向への移動量に基づき、画像標準位置を更新するとともに、更新された画像標準位置を、画像位置調整モード時に、印刷画像位置の標準位置として表示手段に表示する。【選択図】図１
2008307755.tif 000002
【特許請求の範囲】
【請求項１】
印刷用紙に印刷される画像位置を前記印刷用紙の上下方向と左右方向に調整可能な印刷装置の画像位置調整表示装置において、
前記画像位置の上下方向と左右方向の画像標準位置を決める移動量の入力を促す操作案内情報が表示される表示手段と、
前記表示手段に表示された操作案内情報に基づきユーザーが設定操作することで、前記上下方向と左右方向への移動量を入力する入力手段と、
入力された上下方向と左右方向への移動量を記憶する記憶手段を有し、
前記記憶手段に記憶された上下方向と左右方向への移動量に基づき、画像標準位置を更新するとともに、前記更新された画像標準位置を、画像位置調整モード時に、印刷画像位置の標準位置として前記表示手段に表示することを特徴とする印刷装置の画像位置調整表示装置。
【請求項２】
請求項１記載の印刷装置の画像位置調整表示装置において、
前記印刷装置に設けられた複数の給紙部を選択する選択手段を有し、
前記ユーザーが選択した給紙部に対応し、前記ユーザーが前記入力手段を操作することで入力される上下方向と左右方向への移動量を前記給紙部と関連付けて前記記憶手段に各給紙部に対応した画像標準位置として記憶することを特徴とする印刷装置の画像位置調整表示装置。
【請求項３】
請求項１記載の印刷装置の画像位置調整表示装置において、
前記印刷装置は、前記印刷用紙の両面に印刷可能であり、
両面印刷時の印刷用紙の表面と裏面に対応し、前記ユーザーが前記入力手段を操作することで入力される上下方向と左右方向への移動量を前記印刷用紙の表面と裏面とに関連付けて前記記憶手段に記憶することを特徴とする印刷装置の画像位置調整表示装置。
【請求項４】
印刷用紙に印刷される画像位置を印刷用紙の上下方向と左右方向に調整可能な印刷装置において、
前記印刷装置は、前記印刷用紙の上端と左右端を整合するとともに、その位置が移動可能なエンドフェンスと一対のサイドフェンスを備えた排紙台を有し、
前記エンドフェンスと一対のサイドフェンスの印刷用紙のサイズ毎の標準位置を決める移動量の入力を促す操作案内情報が表示される表示手段と、
前記表示手段に表示された操作案内情報に基づきユーザーが設定操作することで前記上下方向と左右方向への移動量を入力する入力手段と、
前記入力された上下方向と左右方向への移動量を記憶する記憶手段と、
前記記憶手段に記憶されたエンドフェンスと一対のサイドフェンスの移動量に基づき、排紙台標準位置を更新するとともに、前記更新されたエンドフェンスと一対のサイドフェンスの排紙台標準位置を、排紙台調整モード時に、前記排紙台の標準位置として前記表示手段に表示する制御手段とを有することを特徴とする印刷装置。
【発明の詳細な説明】
【技術分野】
【０００１】
本発明は、印刷用紙に印刷される画像の位置を調整可能な印刷装置の画像位置調整表示装置に関する。
【背景技術】
【０００２】
従来、印刷用紙に対する印刷画像の位置を、印刷用紙の上下方向及び左右方向に調整可能な印刷装置が知られている。このような印刷装置は一般に、用紙の種類の選択、変倍、原稿の種類の選択及び画像位置調整等の各モードへ移行するための操作キーや、位置調整を行うキーや数値情報を入力するテンキーなどが操作パネル上に設けられている。操作パネル上には、選択された用紙の大きさや画像の倍率を表示する液晶パネルなどで構成された表示装置が配設されている場合があり、この表示装置に、その表示の自由度を生かして、印刷用紙が排紙される排紙部のサイドフェンスやサイドフェンス位置調整や印刷画像の位置調整を行う際の各種表示を行うものがある。例えば、特許文献１には、表示装置に、用紙及びこの用紙上に印刷される印刷画像を重ね合わせて表示し、位置調整を行った場合に、用紙に対する印刷画像の位置を、調整された方向に応じてずらして表示することにより、大まかな印刷画像位置を視覚的に把握できるようにした装置が開示されている。
【０００３】
【特許文献１】特開平７−１３７２３４号公報
【発明の開示】
【発明が解決しようとする課題】
【０００４】
従来の画像位置調整表示装置において、画像位置調整を行う場合、画像位置調整モードを呼び出すキーが操作されると、印刷用紙に対して予め設定された画像標準位置が呼び出され、図１７（ａ）に示すように表示装置に表示される。そして、ユーザーが画像を移動したい上下方向や左右方向への移動量を入力手段で入力すると、画像位置調整表示装置は、その位置を記憶手段に記憶するとともに、図１７（ｂ）に示すように移動した位置で画像を表示させている。
【０００５】
そして、位置調整された画像標準位置を何らかの理由で移動させる場合、画像位置調整モードを呼び出すキーを操作して画像標準位置を表示装置に表示させると、図１７（ｃ）に示すように、前回移動させた画像位置が表示装置に表示されるので、１７（ｄ）に示す位置に印刷画像を移動しようとする場合、前回の移動量を考慮して移動したい移動量を入力しなければならず、画像位置を変更する場合の作業が煩雑であった。
【０００６】
例えば、図１７（ｂ）での最初の変更量を、上下方向にＸ１、左右方向にＹ１として登録した後、図１７（ｄ）に示すように、上下方向にＸ２、左右方向Ｙ２へ移動したい場合、図１７（ｃ）で表示される画像標準位置が上下方向にＸ１、左右方向にＹ１にずれて表示されるので、ユーザーは、上下方向への移動量をＸ１＋Ｘ２、左右方向への移動量をＹ１＋Ｙ２として計算しなければならず、位置調整の変更作業が煩雑であった。
【０００７】
また、サイドフェンスやエンドフェンスの位置をユーザーが任意に移動して変更する場合も、変更前の移動量を考慮して変更後の移動量を入力しなければならず、サイドフェンスやエンドフェンスの位置を変更する場合の作業も煩雑であった。
【０００８】
本発明は、印刷用紙に対する画像の印刷位置を変更する場合に作業性のよい印刷装置の画像位置調整表示装置を提供することを、その目的とする。  
本発明は、排紙部のサイドフェンスやエンドフェンスの位置を変更する場合に作業性がよい印刷装置を提供することを、その目的とする。
【課題を解決するための手段】
【０００９】
上述した目的を達成するために、請求項１の発明では、印刷用紙に印刷される画像位置を印刷用紙の上下方向と左右方向に調整可能な印刷装置の画像位置調整表示装置において、画像位置の上下方向と左右方向の画像標準位置を決める移動量の入力を促す操作案内情報が表示される表示手段と、表示手段に表示された操作案内情報に基づきユーザーが設定操作することで上下方向と左右方向への移動量を入力する入力手段と、入力された上下方向と左右方向への移動量を記憶する記憶手段と、記憶手段に記憶された上下方向と左右方向への移動量に基づき、画像標準位置を更新するとともに、更新された画像標準位置を、画像位置調整モード時に、印刷画像位置の標準位置として表示手段に表示することを特徴とする表示することを特徴としている。
【００１０】
請求項２の発明は、請求項１記載の印刷装置の画像位置調整表示装置において、印刷装置に設けられた複数の給紙部を選択する選択手段を有し、ユーザーが選択した給紙部に対応し、ユーザーが入力手段を操作することで入力される上下方向と左右方向への移動量を給紙部と関連付けて記憶手段に各給紙部に対応した画像標準位置として記憶することを特徴としている。
【００１１】
請求項３の発明は、請求項１記載の印刷装置の画像位置調整表示装置において、印刷装置が印刷用紙の両面に印刷可能であり、両面印刷時の印刷用紙の表面と裏面に対応し、ユーザーが入力手段を操作することで入力される上下方向と左右方向への移動量を印刷用紙の表面と裏面とに関連付けて記憶手段に記憶することを特徴としている。
【００１２】
請求項４の発明は、印刷用紙に印刷される画像位置を印刷用紙の上下方向と左右方向に調整可能な印刷装置において、印刷装置は、印刷用紙の上端と左右端を整合するとともに、その位置が移動可能なエンドフェンスと一対のサイドフェンスを有する排紙台を有し、エンドフェンスと一対のサイドフェンスの印刷用紙のサイズ毎の標準位置を決める移動量の入力を促す操作案内情報が表示される表示手段と、表示手段に表示された操作案内情報に基づきユーザーが設定操作することで前記上下方向と左右方向への移動量を入力する入力手段と、入力された上下方向と左右方向への移動量を記憶する記憶手段と、記憶手段に記憶されたエンドフェンスと一対のサイドフェンスの移動量に基づき、排紙台標準位置を更新するとともに、更新されたエンドフェンスと一対のサイドフェンスの排紙台標準位置を、排紙台調整モード時に、排紙台の標準位置として表示手段に表示することを特徴としている。
【発明の効果】
【００１３】
本発明によれば、ユーザーが標準画像位置を変更し、変更された標準画像位置から画像位置の調整が行なわれても、画像位置調整モード時に、変更された標準画像位置が印刷画像位置の標準位置として表示手段に表示されるので、従来のように、変更前の移動量を考慮することなく今回の移動量を設定することができるので、画像位置の変更作業を効率よく行うことができる。
【００１４】
本発明によれば、ユーザーが選択した給紙部に対応し、ユーザーが入力手段を操作することで入力される上下方向と左右方向への移動量を給紙部と関連付けて記憶手段に各給紙部に対応した画像標準位置として記憶するので、画像位置調整モード時に、給紙部毎に変更された標準画像位置が印刷画像位置の標準位置として表示手段に表示されるので、従来のように、変更前の移動量を考慮することなく今回の移動量を設定することができるので、画像位置の変更作業を効率よく行うことができる。
【００１５】
本発明によれば、印刷装置が印刷用紙の両面に印刷可能に場合、両面印刷時の印刷用紙の表面と裏面に対応し、ユーザーが入力手段を操作することで入力される上下方向と左右方向への移動量を印刷用紙の表面と裏面とに関連付けて記憶手段に記憶するので、画像位置調整モード時に、表面と裏面毎に変更された標準画像位置が印刷画像位置の標準位置として表示手段に表示されるので、従来のように、変更前の移動量を考慮することなく今回の移動量を設定することができるので、画像位置の変更作業を効率よく行うことができる。
【００１６】
本発明によれば、印刷装置がエンドフェンスと一対のサイドフェンスを備えた排紙台を備える場合、ユーザーがエンドフェンスやサイドフェンスの位置を変更し、変更された標準位置からエンドフェンスやサイドフェンス位置の調整が行なわれても、変更されたエンドフェンスと一対のサイドフェンスの排紙台標準位置が排紙台調整モード時には、排紙台の標準位置として表示手段に表示されるので、従来のように、変更前の移動量を考慮することなく今回の移動量を設定することができるので、画像位置の変更作業を効率よく行うことができる。
【発明を実施するための最良の形態】
【００１７】
以下、本発明の実施形態について図面を用いて説明する。本発明を適用した印刷装置の画像位置調整表示装置は、輪転印刷機、孔版印刷機等の印刷装置であって、印刷用紙に対する印刷画像の位置を、印刷用紙の上下方向及び左右方向に調整可能な印刷画像位置調節機構を備えた印刷装置に適用されるものである。
【００１８】
かかる印刷画像位置調節機構としては、印刷用紙が積載された給紙台全体あるいは給紙台上の印刷用紙を、その給紙方向と直交する方向、すなわち印刷用紙の左右方向となる用紙幅方向に移動することによる印刷用紙移動方式を用いるものと、印刷すべき画像が形成される印刷ドラムあるいは印刷ドラムをその中心軸線回りに回転自在に支持するドラムユニット全体を、印刷ドラムの中心軸線方向に移動することにより行うドラム移動方式を用いるものとが知られている。
【００１９】
印刷用紙移動方式には、特開平６−２９３１７５号公報に開示されているようなものがある。ドラム移動方式のうち、印刷ドラムを中心軸線方向（オペレータから見て上下方向）に移動させるものには、特開平９−１０４１５９号公報に開示されているようなものがあり、印刷ドラム全体、すなわち印刷ドラムと印刷ドラムの両端に配設されたドラムフランジとを左右方向に移動させるものには、特開平６−７１９９８号公報に開示されているようなものがある。またドラムユニット全体を中心軸線方向（オペレータから見て上下方向）に移動させるものには、実開昭６４−４６２５８号公報、特開平６−２９３１７５号公報、特開平７−１８１７号公報及び特開平７−１３７４１８号公報に記載されているようなものがある。
【００２０】
印刷画像位置を印刷用紙の上下方向（オペレータから見て上下方向）に調整するものとしては、特開平１１−２５４８０３号公報や特開２０００−１９６８２７に記載されているように、印刷ドラムへ向けて印刷用紙を給紙するレジストローラの給紙タイミングを調整することで行うものや、印刷ドラム側に設けられた歯車と駆動側に設けられた歯車との間に遊星歯車を設けた機構を用いて印刷ドラムの回転位相を調整するものがある。
【００２１】
このように、印刷用紙に対する印刷画像の位置を上下方向及び左右方向に調整可能な印刷画像位置調節機構を備えた印刷装置は周知であるので、以下、本発明を適用した印刷装置の画像位置調整表示装置について説明する。
【００２２】
図１に示す本発明を適用した印刷装置の画像位置調整表示装置１は、印刷画像位置の上下方向と左右方向の画像標準位置を決める移動量の入力を促す操作案内情報が表示される表示手段となる液晶表示画面２と、液晶表示画面２に表示された操作案内情報に基づきユーザーが設定操作することで上下方向と左右方向への移動量を入力する入力手段３と、入力された上下方向と左右方向への移動量を記憶する記憶手段４を有し、記憶手段４に記憶された上下方向と左右方向への移動量に基づき、画像標準位置を更新するとともに、更新された画像標準位置を、画像位置調整モード時に、印刷画像位置の標準位置として液晶表示画面２に表示するようにしたものである。これら構成要素のうち、液晶表示画面２と入力手段３は、印刷装置を操作するための操作パネル５に備えられている。
【００２３】
図１は、印刷装置の電源を投入したときの、画像位置調整表示装置１の各操作を開始可能な操作開始モード状態を示している。このモードにおいて、液晶表示画面２には、画像初期位置調整モードへ移行するための画像初期値調整キー６、印刷装置に設けられた複数の給紙部を選択するモードに移行するための給紙部選択キー７、両面印刷モード時の表面画像と裏面画像の位置を移動するモードに移行するための表面キー８ａと裏面キー８ｂを備えた表裏面選択キー８、印刷用紙に対する画像位置を調整する画像位置調整モードへ移行するための画像位置調整キー９が表示される。
【００２４】
操作パネル５には、ハードキーとして、操作開始モードにおいて液晶表示画面２に表示されている各キー６，７，８，９に対応してこれら各キーの下方に配設された画像初期値調整ハードキー１０、給紙部選択ハードキー１１、調整面選択ハードキー１２、画像位置調整ハードキー１３と、印刷を開始するスタートキー１４と、運転状態の印刷装置を停止するためのストップキー１５と、数値情報を入力するテンキー１６、片面印刷と両面印刷を選択する印刷モード選択キー１８，１９を備えている。入力手段３は、画像初期位置調整モードにおいて画像位置を調整するための位置調整キーとなる上キー３ａ、下キー３ｂ、左キー３ｃ、右キー３ｄを有している。また、ハードキー１０〜１３は、液晶表示画面２に表示された内容に対応して機能するものであるが、その機能は上記した特定の内容に限られるものではない。
【００２５】
記憶手段４および操作パネル５の各スイッチは制御手段２０と接続されている。制御手段２０は、記憶部となるＲＯＭ２１とＲＡＭ２２、ＣＰＵ（中央演算処理装置）２３と図示しないタイマなどを備えた周知のコンピュータで構成されている。記憶手段４には、印刷画像の画像標準位置、給紙部に対応した印刷画像の画像標準位置、両面印刷時の表面と裏面に対する画像標準位置が初期値として印刷装置の出荷時に予め記憶されている。
（第１の実施形態）
次に図２と図３，図４に示すフローチャートに沿って画像位置調整表示装置１の画像位置調整と、表示内容の変化について説明する。  
図３ステップＳＴ１に示すように、操作開始モードにおいて画像初期値調整キー６が押下されると、図２（ａ）に示すように液晶表示画面２の表示が変化して画像初期位置調整モードへ移行する。画像初期位置調整モードにおいては、印刷用紙のイメージとしての用紙像３０及びこの用紙像３０上の定位置に重ね合わされた印刷画像領域のイメージとしての画像像３１と、印刷画像の標準位置、すなわち、印刷画像の位置調整を行わず印刷画像位置が上下方向にも左右方向にも０である位置に対する、上下方向への調整量３２及び左右方向への調整量３３からなる位置調整量と、画像位置調整を行わずに操作開始モードに戻るキャンセルキー３４と、行なった位置調整を記憶手段４に保存して操作開始モードに戻る設定キー３５とが、液晶表示画面２に表示される（図３ステップＳＴ２）。
【００２６】
本形態の場合、電源投入時においては、印刷画像位置調節機構による印刷画像の位置調整が上下方向にも左右方向にも０の標準位置となっている。用紙像３０と画像像３１との区別が容易になるよう、画像像３１には網掛けが施されている。この段階では、液晶表示画面２上で用紙像３０と画像像３１との相対位置が変化することはない。
【００２７】
本形態においては、用紙像３０の右側に、上下方向と左右方向への移動量がミリ（ｍｍ）単位で表示される。印刷装置本体側の図示しない印刷画像位置調節機構は、図１の位置調整キー３に連動しており、この状態において位置調整キー３を押下することにより、操作されたキーの矢印の方向に印刷画像を０．２５ｍｍ刻みで所望の位置に調整することができる。
【００２８】
図２（ｂ）は画像位置の初期値調整画面で、ここでは、上キー３ａと右キー３ｄをそれぞれ押下し、上下方向への調整量３２が０ｍｍから＋１．２５ｍｍに、左右方向への調整量３３が０ｍｍから−０．７５ｍｍにそれぞれなった時を示している。つまり、印刷画像位置の標準位置から、図２（ｂ）では上方向に１．２５ｍｍ調整し、右方向に−０．７５ｍｍ移動する調整したことを表している。
【００２９】
このように調整された移動量は、作業者（ユーザー）が設定キー３５を押下すると、図３ステップＳＴ３において画像位置の標準位置の設定が終了と判断され、移動量が記憶手段４に記憶される。これと同期して当初から記憶されていた画像初期位置０ｍｍ／０ｍｍが、図２（ｂ）に示すように新たな画像初期位置＋１．２５ｍｍ／−０．７５ｍｍとして更新されるとともに、その設定された内容が図２（ｂ）に示すように表示される（図３ステップＳＴ４）。更新後に、例えば図１に示したスタートキー１４が押下されると、印刷装置の印刷動作が開始され、位置変更がなされた印刷が実行される。
【００３０】
画像初期位置が変更された後、図４のステップＳＴ１１に示すように、画像位置調整をすべく画像位置調整キー９が押下されると、従来は図１７（ｃ）に示すように、変更された画像初期位置が変更された位置にそのまま表示されていた。これに対し、本形態では図２（ｃ）に示すように、画像初期位置が変更されても、その変更された位置が画像位置調整画面上では変更されず、図２（ａ）と同様に表示される（図４ステップＳＴ１２）。データ上は初期画像位置が上に１．２５ｍｍ右に０．７５ｍｍずれているが、表示上は０ｍｍ、０ｍｍと表示される。
【００３１】
この状態で例えば下に５．００ｍｍ、左に５．００ｍｍの移動量を下キー３ｂと左キー３ｃで入力した後に設定キー３５が押下されると、図４のステップＳＴ１３では画像位置調整の設定が終了したと判断し、ステップＳＴ１４において、図２（ｄ）に示すように、画像位置調整後の画像の画面が表示される。
【００３２】
このように、ユーザーが標準画像位置を変更し、変更された標準画像位置から画像位置の調整が行なわれても、画像位置調整モード時に、変更された標準画像位置が印刷画像位置の標準位置として液晶表示画面２に表示されるので、従来のように、変更前の移動量を考慮することなく今回の移動量を設定することができるので、画像位置の変更作業を効率よく行うことができる。
（第２の実施形態）
本形態は、印刷装置に設けられた複数の給紙部を選択する選択手段となる図１に示す給紙部選択キー７をユーザーが操作して、選択した給紙部に対応し、ユーザーが入力手段３を操作することで入力される上下方向と左右方向への移動量を給紙部と関連付けて記憶手段４に各給紙部に対応した画像標準位置として画像標準位置を記憶して更新するとともに、更新された画像標準位置を、画像位置調整モード時に、給紙部に対する印刷画像位置の標準位置として液晶表示画面２に表示するようにしたものである。
【００３３】
図５と図６，図７に示すフローチャートに沿って画像位置調整表示装置１の給紙部に対応した画像位置調整と、表示内容の変化について説明する。  
図６ステップＳＴ２１に示すように、操作開始モードにおいて給紙部選択キー７が押下され、ステップＳＴ２２で画像初期調整キー６が押下されると、図５（ａ）に示すように液晶表示画面２の表示が変化して給紙部画像初期位置調整モードへ移行する。給紙部画像初期位置調整モードにおいては、用紙像３０及び画像像３１、選択した給紙部に対する印刷画像の標準位置すなわち、印刷画像の位置調整を行わず印刷画像位置が上下方向にも左右方向にも０である位置に対する上下方向への調整量３２Ａ及び左右方向への調整量３３Ａからなる画像位置調整を行わずに操作開始モードに戻るキャンセルキー３４と、設定キー３５と、選択した給紙部の識別情報３６が、図６ステップＳＴ２３で液晶表示画面２に表示される。
【００３４】
本形態の場合、電源投入時においては、印刷画像位置調節機構による印刷画像の位置調整が上下方向にも左右方向にも０の標準位置となっている。この段階では、液晶表示画面２上で給紙部の識別情報３６に対する用紙像３０と画像像３１との相対位置が変化することはない。
【００３５】
図５（ｂ）は画像位置の初期値調整画面で、ここでは、上キー３ａと右キー３ｄをそれぞれ押下し、上下方向への調整量３２Ａが０ｍｍから＋１．２５ｍｍに、左右方向への調整量３３Ａが０ｍｍから−０．７５ｍｍにそれぞれなった時を示している。つまり、選択した給紙部に対する印刷画像位置の標準位置から、図５（ｂ）では上方向に１．２５ｍｍ調整し、右方向に−０．７５ｍｍ移動する調整したことを表している。
【００３６】
このように調整された移動量は、作業者（ユーザー）が設定キー３５を押下すると、図６ステップＳＴ２４において給紙部に対する画像位置の標準位置の設定が終了と判断され、移動量が記憶手段４に記憶される。これと同期して当初から記憶されていた画像初期位置０ｍｍ／０ｍｍが、図５（ｂ）に示すように新たな画像初期位置＋１．２５ｍｍ／−０．７５ｍｍとして更新されるとともに、その設定された内容が図５（ｂ）に示すように表示される（図６ステップＳＴ２５）。
【００３７】
画像初期位置が変更された後、図７のステップＳ３１，Ｓ３２に示すように、給紙部に対応した画像位置調整をすべ給紙部選択キー７と画像位置調整キー９が押下されると、従来は図１７（ｃ）に示すように、変更された画像初期位置が変更された位置にそのまま表示されていた。これに対し、本形態では図５（ｃ）に示すように、画像初期位置が変更されても、その変更された位置が画像位置調整画面上では変更されず、図５（ａ）と同様に表示される（図７ステップＳＴ３３）。データ上は初期画像位置が上に１．２５ｍｍ右に０．７５ｍｍずれているが、表示上は０ｍｍ、０ｍｍと表示される。
【００３８】
この状態で例えば下に５．００ｍｍ、左に５．００ｍｍの移動量を下キー３ｂと左キー３ｃで入力した後に設定キー３５が押下されると、図７のステップＳＴ３４では画像位置調整の設定が終了したと判断し、ステップＳＴ３５において、図５（ｄ）に示すように、画像位置調整後の画像の画面が表示される。本形態では第１給紙部に対する画像位置を例にしたが、複数ある場合にはそれぞれの給紙部に対して、図６、図７の各ステップが実行される。
【００３９】
このように、画像位置調整モード時に、給紙部毎に変更された標準画像位置が印刷画像位置の標準位置として液晶表示画面２に表示されるので、従来のように、変更前の移動量を考慮することなく今回の移動量を設定することができるので、画像位置の変更作業を効率よく行うことができる。
（第３の実施形態）
本形態は、印刷装置が印刷用紙の両面に印刷可能であり、両面印刷時の印刷用紙の表面と裏面に対応し、ユーザーが入力手段３を操作することで入力される上下方向と左右方向への移動量を印刷用紙の表面と裏面とに関連付けて画像標準位置として記憶手段４に記憶して画像標準位置を更新するとともに、更新された画像標準位置を、画像位置調整モード時に、裏面と表面に対する印刷画像位置の標準位置として液晶表示画面２に表示するようにしたものである。
【００４０】
図８，図９と図１０，図１１に示すフローチャートに沿って画像位置調整表示装置１の両面印刷地の表面と裏面に対応した画像位置調整と、表示内容の変化について説明する。  図１０ステップＳＴ４１に示すように、操作開始モードにおいて両面印刷キー１９が押下され、ステップＳＴ４２で画像初期調整キー６が押下され、ステップＳＴ４３で表面キー８ａが押下されると、図８（ａ）に示すように液晶表示画面２の表示が変化して両面印刷の表面用画像初期位置調整モードへ移行する。表面用画像初期位置調整モードにおいては、表面用の用紙像３０及び画像像３１に対する印刷画像の標準位置、すなわち、印刷画像の位置調整を行わず印刷画像位置が上下方向にも左右方向にも０である位置に対する上下方向への調整量３２Ｂ、及び左右方向への調整量３３Ｂからなる画像位置調整を行わずに操作開始モードに戻るキャンセルキー３４と、設定キー３５と、選択した表面の識別情報３６Ａが、図１０ステップＳＴ４４で液晶表示画面２に表示される。
【００４１】
本形態の場合、電源投入時においては、印刷画像位置調節機構による印刷画像の位置調整が上下方向にも左右方向にも０の標準位置となっている。この段階では、液晶表示画面２上で識別情報３６Ａに対する用紙像３０と画像像３１との相対位置が変化することはない。
【００４２】
図８（ｂ）は画像位置の初期値調整画面で、ここでは、下キー３ｂと右キー３ｄをそれぞれ押下し、上下方向への調整量３２Ｂが０ｍｍから−１．２５ｍｍに、左右方向への調整量３３Ｂが０ｍｍから−０．７５ｍｍにそれぞれなった時を示している。つまり、選択した表面に対する印刷画像位置の標準位置から、図８（ｂ）では下方向に１．２５ｍｍ調整し、右方向に−０．７５ｍｍ移動する調整したことを表している。
【００４３】
このように調整された移動量は、作業者（ユーザー）が設定キー３５を押下すると、図１０ステップＳＴ４５において表面に対する画像位置の標準位置の設定が終了と判断され、移動量が記憶手段４に記憶される。これと同期して当初から記憶されていた画像初期位置０ｍｍ／０ｍｍが、図８（ｂ）に示すように新たな画像初期位置−１．２５ｍｍ／−０．７５ｍｍとして更新されるとともに、その設定された内容が図８（ｂ）に示すように表示される（図６ステップＳＴ４６）。
【００４４】
ステップＳ４６が終了し、ステップＳＴ４７で裏面キー８ｂが押下されると、図８（ｃ）に示すように液晶表示画面２の表示が変化して両面印刷の裏面用画像初期位置調整モードへ移行する。裏面用画像初期位置調整モードにおいては、裏面用の用紙像３０及び画像像３１に対する印刷画像の標準位置、すなわち、印刷画像の位置調整を行わず印刷画像位置が上下方向にも左右方向にも０である位置に対する上下方向への調整量３２Ｃ、及び左右方向への調整量３３Ｃからなる画像位置調整を行わずに操作開始モードに戻るキャンセルキー３４と、設定キー３５と、選択した表面の識別情報３６Ｂが、図１０ステップＳＴ４８で液晶表示画面２に表示される。
【００４５】
本形態の場合、電源投入時においては、印刷画像位置調節機構による印刷画像の位置調整が上下方向にも左右方向にも０の標準位置となっている。この段階では、液晶表示画面２上で識別情報３６Ｂに対する用紙像３０と画像像３１との相対位置が変化することはない。
【００４６】
図８（ｃ）は画像位置の初期値調整画面で、ここでは、上キー３ａと右キー３ｄをそれぞれ押下し、上下方向への調整量３２Ｂが０ｍｍから＋１．２５ｍｍに、左右方向への調整量３３Ｂが０ｍｍから−０．７５ｍｍにそれぞれなった時を示している。つまり、選択した表面に対する印刷画像位置の標準位置から、図８（ｄ）では上方向に１．２５ｍｍ調整し、右方向に−０．７５ｍｍ移動する調整したことを表している。
【００４７】
このように調整された移動量は、作業者（ユーザー）が設定キー３５を押下すると、図１０ステップＳＴ４９において裏面に対する画像位置の標準位置の設定が終了と判断され、移動量が記憶手段４に記憶される。これと同期して当初から記憶されていた画像初期位置０ｍｍ／０ｍｍが、図８（ｄ）に示すように新たな画像初期位置＋１．２５ｍｍ／−０．７５ｍｍとして更新されるとともに、その設定された内容が図８（ｄ）に示すように表示される（図１０ステップＳＴ５０）。
【００４８】
両面印刷時の画像初期位置が変更された後、図１１のステップＳ５１，Ｓ５２，Ｓ５３に示すように、表面に対応した画像位置調整をすべ両面印刷キー１９と画像位置調整キー９と表面キー８ａが押下されると、従来は図１７（ｃ）に示すように、変更された画像初期位置が変更された位置にそのまま表示されていた。これに対し、本形態では図９（ａ）に示すように、画像初期位置が変更されても、その変更された位置が画像位置調整画面上では変更されず、図８（ａ）と同様に表示される（図１１ステップＳＴ５４）。データ上は初期画像位置が下に１．２５ｍｍ右に０．７５ｍｍずれているが、表示上は０ｍｍ、０ｍｍと表示される。
【００４９】
この状態で例えば下に５．００ｍｍ、左に５．００ｍｍの移動量を下キー３ｂと左キー３ｃで入力した後に設定キー３５が押下されると、図１１のステップＳＴ５５では画像位置調整の設定が終了したと判断し、ステップＳＴ５６において、図９（ｂ）に示すように、画像位置調整後の表面に対する画像の画面が表示される。
【００５０】
図１１のステップＳТ５７において裏面キー８ｂが押下されると、従来は図１７（ｃ）に示すように、変更された画像初期位置が変更された位置にそのまま表示されていた。これに対し、本形態では図９（ｃ）に示すように、画像初期位置が変更されても、その変更された位置が画像位置調整画面上では変更されず、図８（ｃ）と同様に表示される（図１１ステップＳＴ５８）。データ上は初期画像位置が上に１．２５ｍｍ右に０．７５ｍｍずれているが、表示上は０ｍｍ、０ｍｍと表示される。
【００５１】
この状態で例えば下に５．００ｍｍ、左に５．００ｍｍの移動量を下キー３ｂと左キー３ｃで入力した後に設定キー３５が押下されると、図１１のステップＳＴ５９では画像位置調整の設定が終了したと判断し、ステップＳＴ６０において、図９（ｄ）に示すように、画像位置調整後の表面に対する画像の画面が表示される。
【００５２】
このように、印刷装置が印刷用紙の両面に印刷可能に場合、両面印刷時の印刷用紙の表面と裏面に対応し、ユーザーが入力手段３を操作することで入力される上下方向と左右方向への移動量を印刷用紙の表面と裏面とに関連付けて記憶手段４に記憶するので、画像位置調整モード時に、表面と裏面毎に変更された標準画像位置が印刷画像位置の標準位置として液晶表示画面２に表示されるので、従来のように、変更前の移動量を考慮することなく今回の移動量を設定することができるので、画像位置の変更作業を効率よく行うことができる。
（第４の実施形態）
本形態は、印刷用紙の上端と左右端を整合するとともに、その位置が駆動源の駆動により移動可能なエンドフェンスと一対のサイドフェンスを有する排紙台を有する印刷装置に適用可能なフェンス位置調整表示装置１Ａに関するものである。このような電動排紙部を備えた印刷装置としては、例えば、特開平１０−１２５４号に記載のように周知であるので、以下、フェンス位置調整表示装置１Ａについて説明する。
【００５３】
図１２に示す本発明を適用した印刷装置のフェンス位置調整表示装置１Ａは、エンドフェンスと一対のサイドフェンスの印刷用紙のサイズ毎の標準位置を決める移動量の入力を促す操作案内情報が表示される表示手段となる液晶表示画面２Ａと、液晶表示画面２Ａに表示された操作案内情報に基づきユーザーが設定操作することで上下方向と左右方向への移動量を入力する入力手段３と、入力された上下方向と左右方向への移動量を記憶する記憶手段４Ａと、記憶手段４Ａに記憶されたエンドフェンスと一対のサイドフェンスの移動量に基づき、排紙台標準位置を更新するとともに、更新されたエンドフェンスと一対のサイドフェンスの排紙台標準位置を、排紙台調整モード時に、排紙台の標準位置として液晶表示画面２Ａに表示するように構成されている。これら構成要素のうち、液晶表示画面２Ａと入力手段３は、印刷装置を操作するための操作パネル５に備えられている。
【００５４】
図１２は、印刷装置の電源を投入したときの、フェンス位置調整表示装置１Ａの各操作を開始可能な操作開始モード状態を示している。このモードにおいて、液晶表示画面２Ａには、フェンス初期位置調整モードへ移行するためのフェンス初期値調整キー４０、サイドフェンスとエンドフェンスの位置を移動するモードに移行するためのサイドキー４１ａとエンドキー４１ｂを備えたフェンス選択キー４１、サイドフェンスとエンドフェンスの位置を調整するフェンス位置調整モードへ移行するためのフェンス位置調整キー４２が表示される。
【００５５】
操作パネル５には、各キー４０，４１，４２に対応してこれら各キーの下方に配設されたフェンス初期値調整ハードキー４３、フェンス選択ハードキー４４、フェンス位置調整ハードキー４５と、印刷を開始するスタートキー１４と、運転状態の印刷装置を停止するためのストップキー１５と、数値情報を入力するテンキー１６を備えている。入力手段３は、フェンス初期位置調整モードにおいてフェンス位置を調整するための位置調整キーとなる上キー３ａ、下キー３ｂ、左キー３ｃ、右キー３ｄを有している。また、ハードキー４３〜４５は、液晶表示画面２Ａに表示された内容に対応して機能するものであるが、その機能は上記した特定の内容に限られるものではない。
【００５６】
記憶手段４Ａおよび操作パネル５の各スイッチは制御手段２０Ａと接続されている。制御手段２０Ａは、記憶部となるＲＯＭ２１とＲＡＭ２２、ＣＰＵ（中央演算処理装置）２３と図示しないタイマなどを備えた周知のコンピュータで構成されている。記憶手段４Ａには、サイドフェンスとエンドフェンスの排紙台基準位置の各情報が初期値として印刷装置の出荷時に予め記憶されている。
【００５７】
図１３，図１４と図１５，図１６に示すフローチャートに沿ってフェンス位置調整表示装置１Ａのサイドフェンスとエンドフェンスに対応したフェンス位置調整と、表示内容の変化について説明する。  
図１５ステップＳＴ６１に示すように、操作開始モードにおいてフェンス初期値調整キー４０が押下され、ステップＳＴ６２でサイドキー４１ａが押下されると、図１３（ａ）に示すように液晶表示画面２Ａの表示が変化してサイドフェンス用の初期位置調整モードへ移行する。
【００５８】
この初期位置調整モードにおいては、排紙台のイメージ像４６及びこのイメージ像４６上の定位置に重ね合わされたサイドフェンスのフェンス初期位置のフェンスイメージ像４７と、サイドフェンスの標準位置、すなわち、サイドフェンスの位置調整を行わずイメージ像４７の位置が上下方向にも左右方向にも０である位置に対する、上下方向への調整量４９及び左右方向への調整量５０からなる位置調整を行わずに操作開始モードに戻るキャンセルキー３４と、設定キー３５と、選択したフェンスの識別情報５１Ａが、図１５ステップＳＴ６３で液晶表示画面２Ａに表示される。
【００５９】
本形態の場合、電源投入時においては、周知のフェンス位置調節機構によるサイドフェンスの位置調整が上下方向にも左右方向にも０の標準位置となっている。この段階では、液晶表示画面２Ａ上で識別情報５１Ａに対する排紙台像４６とフェンスイメージ像４７との相対位置が変化することはない。
【００６０】
図１３（ｂ）はフェンス位置の初期値調整画面で、ここでは、上キー３ａを押下し、左右方向への調整量４９が０ｍｍから＋１．００ｍｍになった時を示している。つまり、サイドフェンスのフェンスイメージ像４７の標準位置から、図１３（ｂ）では左右方向に１．００ｍｍ移動してフェンス間隔を広く調整したことを表している。
【００６１】
このように調整された移動量は、作業者（ユーザー）が設定キー３５を押下すると、図１５ステップＳＴ６４においてフェンスイメージ像４７のフェンス位置の標準位置の設定が終了と判断され、移動量が記憶手段４Ａに記憶される。これと同期して当初から記憶されていた初期位置０ｍｍ／０ｍｍが、図１３（ｂ）に示すように新たなフェンス初期位置＋１．００ｍｍとして更新されるとともに、その設定された内容が図１３（ｂ）に示すように表示される（図１５ステップＳＴ６５）。
【００６２】
ステップＳＴ６５が終了し、ステップＳＴ６６でエンドキー４１ｂが押下されると、図１３（ｃ）に示すように液晶表示画面２Ａの表示が変化してエンドフェンス用の初期位置調整モードへ移行する。
【００６３】
このフェンス初期位置調整モードにおいては、排紙台のイメージ像４６及びこのイメージ像４６上の定位置に重ね合わされたエンドフェンスのフェンス初期位置のフェンスイメージ像４８と、エンドフェンスの標準位置、すなわち、エンドフェンスの位置調整を行わずイメージ像４８の位置が上下方向にも左右方向にも０である位置に対する、上下方向への調整量４９及び左右方向への調整量５０からなる位置調整を行わずに操作開始モードに戻るキャンセルキー３４と、設定キー３５と、選択したフェンスの識別情報５１Ｂが、図１５ステップＳＴ６７で液晶表示画面２Ａに表示される。
【００６４】
本形態の場合、電源投入時においては、周知のフェンス位置調節機構によるエンドフェンスの位置調整が上下方向にも左右方向にも０の標準位置となっている。この段階では、液晶表示画面２Ａ上で識別情報５１Ｂに対する排紙台像４６とフェンスイメージ像４７との相対位置が変化することはない。
【００６５】
図１３（ｄ）はフェンス位置の初期値調整画面で、ここでは、下キー３ｂを押下し、上下方向への調整量５０が０ｍｍから−１．００ｍｍになった時を示している。つまり、エンドフェンスのフェンスイメージ像４８の標準位置から、図１３（ｄ）では下方向に１．００ｍｍ移動してエンドフェンスを調整したことを表している。
【００６６】
フェンスの初期位置が変更された後、図１６のステップＳＴ７１，ＳＴ７２に示すように、フェンス位置に対応したフェンス位置調整をすべくフェンス位置調整キー４２とサイドキー４１ａが押下されると、図１４（ａ）に示すように、排紙台調整モードとなり、フェンス初期位置が変更されても、その変更された位置がフェンス位置調整画面上では変更されずに表示される（図１６ステップＳＴ７３）。データ上は初期位置が広がる方向１．００ｍｍずれているが、表示上は０ｍｍと表示される。なお、ここでは、初期設定後のサイドフェンスとエンドフェンスのフェンスイメージ画像４７，４８が表示される。
【００６７】
この形態では、サイドフェンスを移動しないものとし、設定キー３５が押下されると、図１６のステップＳＴ７４では画像位置調整の設定が終了したと判断し、ステップＳＴ７５において、図１４（ｂ）に示すように、フェンスイメージ画像４７，４８の画面が表示される。ここでは変更していないので、フェンスイメージ象４７は移動することはない（図１６ステップＳＴ７５）。
【００６８】
次に図１６のステップＳＴ７６において、エンドキー４ｂが押下されると、図１４（ｃ）に示すように、エンドフェンス初期位置が変更されても、その変更された位置がフェンス位置調整画面上では変更されずに表示される（図１６ステップＳＴ７７）。データ上は初期位置が１．００ｍｍずれているが、表示上は０ｍｍと表示される。
【００６９】
この状態で例えば下に２．００ｍｍの移動量を下キー３ｂで入力した後に設定キー３５が押下されると、図１６のステップＳＴ７８ではエンドフェンス位置調整の設定が終了したと判断し、ステップＳＴ７９において、図１４（ｄ）に示すように、フェンス位置調整後のフェンスイメージ画像４８の画面が表示される。
【００７０】
このように、印刷装置がエンドフェンスと一対のサイドフェンスを備えた排紙台を備える場合、ユーザーがエンドフェンスやサイドフェンスの位置を変更し、変更された標準位置からエンドフェンスやサイドフェンス位置の調整が行なわれても、変更されたエンドフェンスと一対のサイドフェンスの排紙台標準位置が排紙台調整モード時には、排紙台の標準位置として液晶表示画面２Ａに表示されるので、従来のように、変更前の移動量を考慮することなく今回の移動量を設定することができ、フェンス位置の変更作業を効率よく行うことができる。
【図面の簡単な説明】
【００７１】
【図１】本発明を適用した印刷装置の画像位置調整表示装置と操作開始モードの一形態を示す概略平面図である。
【図２】本発明の第１の実施形態にかかる画像位置調整と表示内容の変化を示す図である。
【図３】第１の実施形態での画像初期位置設定のフローチャートである。
【図４】第１の実施形態での画像初期位置設定後の画像位置調整のフローチャートである。
【図５】本発明の第２の実施形態にかかる画像位置調整と表示内容の変化を示す図である。
【図６】第２の実施形態での画像初期位置設定のフローチャートである。
【図７】第２の実施形態での画像初期位置設定後の画像位置調整のフローチャートである。
【図８】本発明の第３の実施形態にかかる画像初期位置設定と表示内容の変化を示す図である。
【図９】本発明の第３の実施形態にかかる画像初期位置設定後の画像位置調整と表示内容の変化を示す図である。
【図１０】第３の実施形態での画像初期位置設定のフローチャートである。
【図１１】第３の実施形態での画像初期位置設定後の画像位置調整のフローチャートである。
【図１２】本発明を適用した印刷装置のフェンス位置調整表示装置と操作開始モードの別な形態を示す概略平面図である。
【図１３】本発明の第４の実施形態にかかるフェンス初期位置設定と表示内容の変化を示す図である。
【図１４】本発明の第４の実施形態にかかるフェンス初期位置設定後のフェンス位置調整と表示内容の変化を示す図である。
【図１５】第４の実施形態でのフェンス初期位置設定のフローチャートである。
【図１６】第４の実施形態でのフェンス初期位置設定後のフェンス位置調整のフローチャートである。
【図１７】従来の印刷装置の画像位置調整表示装置と操作開始モードの一形態を示す概略平面図である。
【符号の説明】
【００７２】
１，１Ａ            画像位置調整表示装置
２，２Ａ            表示手段
３                  入力手段
４                  記憶手段
３２，３３（ＡＢＣ）移動量
４９，５０          移動量
【図１】
2008307755.tif 000003
【図２】
2008307755.tif 000004
【図３】
2008307755.tif 000005
【図４】
2008307755.tif 000006
【図５】
2008307755.tif 000007
【図６】
2008307755.tif 000008
【図７】
2008307755.tif 000009
【図８】
2008307755.tif 000010
【図９】
2008307755.tif 000011
【図１０】
2008307755.tif 000012
【図１１】
2008307755.tif 000013
【図１２】
2008307755.tif 000014
【図１３】
2008307755.tif 000015
【図１４】
2008307755.tif 000016
【図１５】
2008307755.tif 000017
【図１６】
2008307755.tif 000018
【図１７】
2008307755.tif 000019